(57)【要約】【課題】インジェクター内を眼内レンズが通過するときにより小さく折り畳まれ、スムーズに通過でき、眼内に挿入後に安定して眼内に保持される構造の眼内レンズを提供する。【解決手段】  ＩＲＨＤ硬度が４０〜６０である折り畳み可能な一体型眼内レンズであって、前記光学部の光学中心軸から前記移行部の支持部側端の基準点までの距離Ｌが３．７５ｍｍ〜４．５０ｍｍの間にあり、前記光学中心軸と前記移行部の支持部側端の基準点とを含む面と、前記光学中心軸を含み前記支持部の先端に接する面とのなす角度θが３５°〜５０°であり、前記移行部の幅は前記支持部の幅より広く、前記移行部の光学部側端と前記支持部側端との中間における移行部の幅Ｗｍは支持部の幅Ｗｓの１．５倍〜３倍であることを特徴とする。【選択図】図１
2008220863.tif 000002
【特許請求の範囲】
【請求項１】
光学部と、この光学部を眼内に保持するために前記光学部の外側に設けられた複数の支持部と、前記光学部と支持部との間に設けられた移行部とを有し、前記光学部、移行部及び支持部が同一の材料で一体に構成され、そのＩＲＨＤ硬度が４０〜６０である折り畳み可能な眼内レンズであって、
前記光学部の光学中心軸から前記移行部の支持部側端の基準点までの距離Ｌが３．７５ｍｍ〜４．５０ｍｍの間にあり、
前記光学中心軸と前記移行部の支持部側端の基準点とを含む面と、前記光学中心軸を含み前記支持部の先端に接する面とのなす角度θが３５°〜５０°であり、
前記移行部の幅は前記支持部の幅より広く、前記移行部の光学部側端と前記支持部側端との中間における移行部の幅Ｗｍは支持部の幅Ｗｓの１．５倍〜３倍であることを特徴とする軟性眼内レンズ。
【請求項２】
前記移行部が略半径方向外側に向かって伸びていることを特徴とする請求項１に記載の軟性眼内レンズ。
【請求項３】
前記光学中心軸及び前記基準点を含む面と、前記光学中心軸を含む面であって前記光学中心軸及び基準点を含む面に対して２０°をなす面との間の領域においては、前記支持部の幅Ｗｓが略一定で、０．３ｍｍ〜０．６ｍｍの間にあることを特徴とする請求項１又は２に記載の軟性眼内レンズ。
【請求項４】
前記支持部が２本であることを特徴とする請求項１〜３のいずれかに記載の軟性眼内レンズ。
【発明の詳細な説明】
【技術分野】
【０００１】
本発明は、単一材料からなり、折り畳み可能であって、インジェクターで眼内へ挿入するのに適した構造を有する軟性眼内レンズに関する。
【背景技術】
【０００２】
高齢者人口の増加に伴い、老人性白内障患者の増加が目立ってきている。白内障の治療は混濁した水晶体核と皮質を除去し、眼鏡やコンタクトレンズによって視力を矯正するか、眼内レンズを挿入するなどの方法によって行われてきたが、現在は、水晶体全摘出後に眼内レンズを固定する方法が広く実施されるようになってきている。
【０００３】
近年、超音波乳化吸引術などの普及にともない、術後乱視と手術侵襲の軽減を目的として、小切開創から挿入可能な眼内レンズ が開発され、臨床に広く使用されている。この
レンズは光学部材質に軟性材料を使用することにより、その光学部を折曲げて小切開創からの挿入を可能にした軟性眼内レンズである。
【０００４】
軟性眼内レンズを構造的な面から大別すると、光学部と支持部が異種の材料から構成されているタイプと、光学部と支持部が同一の材料から構成されているタイプとに分けられる。
【０００５】
光学部と支持部が異種材料から構成されているタイプの眼内レンズは、一般的に、折りたたみ可能なシリコン、アクリル樹脂、ハイドロゲルなどの軟性材料からなる略円形の光学部と、それよりも比較的硬いポリプロピレン、ポリメタクリル酸メチルなどの硬質材料からなる先端が開放された支持部から構成されており、眼内での安定性は比較的良好であるが、製造工程が複雑なため製造コストが高くついたり、光学部と支持部との接合箇所で不具合が生じたりする可能性があると言われている。
【０００６】
光学部と支持部とが同一材料から構成されているタイプの眼内レンズとしては、支持部がディスク状のタイプ、閉ループ状のタイプ（特許文献１参照）、開放ループ状のタイプ（特許文献２参照）などがあるが、本願発明は支持部が開放ループ状の軟性眼内レンズに関するものである。
【０００７】
一方、眼内レンズを眼球のより小さい切開創から挿入するための器具として種々のインジェクターが開発されている。これらのインジェクターによれば、折り畳まれた眼内レンズを筒状の挿入筒を通して眼内へ押し出すことができるので、従来のセッシを用いて挿入する場合に比べて格段に小さい切開創から眼内へ眼内レンズを挿入することが可能となった。
【０００８】
このような状況下において、眼内レンズに要求される機能・性質としては、眼内レンズの光学的機能はもちろんのこと、（ａ）眼内（水晶体嚢内）で眼内レンズが安定した状態を保たれること。（ｂ）インジェクター内を眼内レンズが通過するときにより小さく折り畳まれ、またスムーズに通過できる構造であることなどがある。
【特許文献１】特表平１０−５１３０９９号公報
【特許文献２】特表２０００−５０９６１５号公報
【発明の開示】
【発明が解決しようとする課題】
【０００９】
しかしながら、従来の支持部が開放ループ状の眼内レンズにおいては、上述の機能を充
分に満足しているとは言えない。例えば、特許文献１に記載の眼内レンズは、以下の不都合が生ずる虞があった。図６は特許文献１の眼内レンズ２００をインジェクター３００に挿入する様子を示す図である。図６に示すように、眼内レンズ２００を二つに折り畳み、インジェクター３００の挿入口３０１から挿入する。この場合、特許文献１に記載の眼内レンズ２００の支持部２０２の長さが比較的長いため、眼内レンズがインジェクター３００の挿入筒中を通過するときに前方にある支持部２０２がねじれて、眼内へ放出ができなくなる虞がある。また、支持部２０２がヒンジ構造を有するが、支持部全体としては柔軟性に欠けているため、眼内挿入後に水晶体嚢の局所に応力が集中してしまう虞もあった。
【００１０】
また、特許文献２に記載の眼内レンズも支持部の長さに起因する上記と同様の問題や、支持部付け根付近の幅が広すぎるために、インジェクター内で眼内レンズを小さく折り畳むことができずにインジェクター内で詰まってしまう虞があるなどの問題もあった。
【００１１】
さらには、上記問題点の他にも、支持部が開放ループ状の眼内レンズの場合、インジェクター内の眼内レンズの通過に際して、挿入筒内で後方側にある支持部がインジェクタープランジャー（押し出し用の棒）にからみついたり、前方側にある支持部が光学部と挿入筒内壁との間に挟まってしまったりする虞もある。
【００１２】
本願発明の目的は、これらの問題点を解決すること、すなわち、眼内に挿入後に安定して眼内に保持される構造の眼内レンズを提供すること、インジェクター内を眼内レンズが通過するときにより小さく折り畳まれ、またスムーズに通過できる構造の眼内レンズを提供することにある。
【課題を解決するための手段】
【００１３】
上述の課題を解決するための手段として、第１の手段は、
光学部と、この光学部を眼内に保持するために前記光学部の外側に設けられた複数の支持部と、前記光学部と支持部との間に設けられた移行部とを有し、前記光学部、移行部及び支持部が同一の材料で一体に構成され、そのＩＲＨＤ硬度が４０〜６０である折り畳み可能な眼内レンズであって、
前記光学部の光学中心軸から前記移行部の支持部側端の基準点までの距離Ｌが３．７５ｍｍ〜４．５０ｍｍの間にあり、
前記光学中心軸と前記移行部の支持部側端の基準点とを含む面と、前記光学中心軸を含み前記支持部の先端に接する面とのなす角度θが３５°〜５０°であり、
前記移行部の幅は前記支持部の幅より広く、前記移行部の光学部側端と前記支持部側端との中間における移行部の幅Ｗｍは支持部の幅Ｗｓの１．５倍〜３倍であることを特徴とする軟性眼内レンズである。
第２の手段は、
前記移行部が略半径方向外側に向かって伸びていることを特徴とする第１の手段にかかる軟性眼内レンズである。
第３の手段は、
前記光学中心軸及び前記基準点を含む面と、前記光学中心軸を含む面であって前記光学中心軸及び基準点を含む面に対して２０°をなす面との間の領域においては、前記支持部の幅Ｗｓが略一定で、０．３ｍｍ〜０．６ｍｍの間にあることを特徴とする第１又は第２の手段にかかる軟性眼内レンズである。
第４の手段は、
前記支持部が２本であることを特徴とする第１〜第３のいずれかの手段にかかる軟性眼内レンズである。
【発明の効果】
【００１４】
上述の第１の手段によれば、上記Ｌを３．７５ｍｍ〜４．５０ｍｍとし、かつ、角度θ
を３５°〜５０°にし、同時に、ＷｍをＷｓの１．５倍〜３倍としたことによって、インジェクター内を通過させるときに、支持部がねじれたり、あるいはインジェクタープランジャーにからみついたり、もしくは前方側にある支持部が光学部と挿入筒内壁との間に挟まってしまったりするようなことがなく、インジェクター内で小さく折り畳まれてインジェクターをスムーズに通過することができ、その上で、眼内に挿入後には安定して眼内に保持できる眼内レンズを得ることがはじめて可能になった。
【００１５】
なお、Ｌが３．７５ｍｍより短い場合には、相対的に支持部を長くしなければならなくなるため、インジェクター挿入筒内で前方側支持部が捩れたり、前方側支持部が光学部と筒内壁との間に挟まれてしまったり、後方側支持部がプランジャーにからみついたりする可能性がある。また、Ｌが４．５０ｍｍより長い場合には、相対的に支持部が短くなり、水晶体嚢と支持部の充分な接触が得られず、水晶体嚢の中での眼内レンズの安定性が悪くなることも考えられる。また、水晶体嚢内でのセンタリングが悪くなったりする虞もある。
【００１６】
角度θが３５°未満の場合には、水晶体嚢と支持部の充分な接触が得られず、水晶体嚢の中での眼内レンズの安定性が悪くなったり、水晶体嚢内でのセンタリングが悪くなったりする。角度θが５０°を超えると、支持部長が長くなるために、インジェクター挿入筒内で前方側支持部が捩れたり、前方側支持部が光学部と筒内壁との間に挟まれてしまったり、後方側支持部がプランジャーにからみついたりする可能性がでてくる。
【００１７】
ＷｍがＷｓの１．５倍未満の場合には、移行部の強度が弱くなり、インジェクター挿入筒内で前方側支持部が捩れたり、前方側支持部が光学部と筒内壁との間に挟まれてしまったりすることを誘発する可能性がある。ＷｍがＷｓの３倍を超える場合には、インジェクター挿入筒内を眼内レンズが通過するときの妨げとなる。小口径インジェクターからの放出の観点から考えると、２本の支持部を有するタイプが特に好ましい。
【００１８】
第２の手段によれば、移行部が略半径方向伸びていることから、挿入筒内で折り畳まれる時に眼内レンズ周辺部と移行部とが干渉して移行部にキズや不具合が発生する可能性を低減できる。
【００１９】
第３の手段によれば、前記光学中心軸及び前記基準点を含む面と、前記光学中心軸を含む面であって前記光学中心軸及び基準点を含む面に対して２０°をなす面との間の領域においては、支持部幅Ｗｓを略一定でかつ０．３ｍｍ〜０．６ｍｍにしたことにより、支持部の全体にわたってほぼ一様な適度の柔軟性をもたせることができ、支持部から水晶体嚢へかかる局所的な圧力をより小さく抑えることを可能にしている。なお、ここで、基準点とは、移行部と支持部との境界線の中点をいい、移行部と支持部との境界線は、移行部の幅が最小になって支持部の幅と等しくなる部位における幅を示す直線をいう。
【００２０】
Ｗｓが０．３ｍｍより狭い場合には、水晶体嚢から支持部への反発力が弱く、眼内での安定性、センタリングが悪くなり、０．６ｍｍより大きい場合には、柔軟性を得られず、支持部から水晶体嚢への局所的な圧力が大きくなりすぎる。また、上記角度が２０°以下の場合では、支持部全体としての柔軟性が低下する虞がある。
【発明を実施するための最良の形態】
【００２１】
図１は本願発明の実施の形態にかかる軟性眼内レンズの平面図、図２は図１におけるＩ−Ｉ線断面図、図３は図１の一部拡大図、図４は本願発明に係る軟性眼内レンズの製造の途中にある中間体を示す図であって図４（Ａ）は平面図であり図４（Ｂ）はＡ−Ａ線断面図である。以下、これらの図面を参照にしながら本願発明の実施の形態に係る軟性眼内レンズを説明する。
【００２２】
図１に示されるように、実施の形態に係る軟性眼内レンズは、光学部１と、この光学部１の外周部であって、光学部１の中心軸Ｏを中心として略対象の位置に各々設けられた２つの支持部２と、前記光学部１と支持部２との間に設けられた移行部とを有する。本眼内レンズは、光学部１、支持部２及び移行部３が同一の軟性材料で一体に構成されているもので、いわゆるワンピースタイプの軟性眼内レンズである。
【００２３】
光学部１は、平面視が半径ｒ１の略円形をなした凸レンズで構成されている。移行部３は、平面視において、前記光学部１の外周部において幅の広い根元、すなわち、移行部の光学部側端から外方に向かって立ち上げられて次第に幅が狭くなり、支持部２の幅（Ｗｓ）と同一の幅になったところ、すなわち、移行部の支持部側端で支持部２に移行するようになっている。支持部２は、前記移行部３の支持部側端付近から光学部１側に折れ曲がり一定の幅（Ｗｓ）及び厚さ（Ｔｓ）で所定距離だけ延長して設けられている。なお、前記支持部２の幅Ｗｓが、該支持部２の厚みＴｓ以下であることが好ましい。これにより、支持部のねじれの可能性を低減できる。なお、移行部３の厚さは、移行部３の光学部１側寄端部において最も薄い厚さＴｍであり、移行部３の支持部２側寄端部において前記支持部２の厚さと略同じ厚さＴｓとなる。屈折率２０ディオプトリーの場合には、Ｔｍ＝０．２ｍｍであり、Ｔｓ＝０．４ｍｍである。
【００２４】
次に、図３を参照にしながら支持部２及び移行部３の構成を詳細に説明する。いま、移行部３の平面視の輪郭を仕切る曲線が、この移行部３の根元において光学部１の平面視の輪郭を描く半径ｒ１の円から離れる２つの点をＰ１、Ｐ２とする。そうすると、移行部３の両幅を仕切る２本の輪郭線は、それぞれ点Ｐ１、Ｐ２を基点にして外方に向かって曲線を描いて立ち上がる。
【００２５】
点Ｐ１を基点とする曲線は、曲率半径Ｒ１の曲線であり、点Ｐ３をその終点とする。なお、この曲線の曲率中心は光学部の外側にある。一方、点Ｐ２を基点とする曲線は、曲率半径Ｒ２の曲線であり、点Ｐ４をその終点とする。この曲線は、前記点Ｐ１を基点とする曲線に向かって凸となる曲線である。次に、点Ｐ３を始点としてこの点Ｐ３において前記曲率半径Ｒ１の曲線に接する接線として点Ｐ５をその終点とする直線部が形成されている。この実施の形態では、Ｒ１＝０．７５ｍｍ、Ｒ２＝２．２５ｍｍとしている。
【００２６】
また、点Ｐ４を始点とする曲率半径Ｒ３の曲線であって、この点Ｐ４において前記曲率半径Ｒ２の曲線に接する接線方向に立ち上がり、前記曲率半径Ｒ２の曲線の凸方向とその凸方向が反対の曲線であって点Ｐ６をその終点とする曲線が形成されている。さらに、前記点Ｐ５を始点とする曲率半径Ｒ４の曲線であって、この点Ｐ５において前記直線部の直線方向に立ち上がり、前記曲率半径Ｒ１の曲線の凸方向とその凸方向が同じである曲線であって点Ｐ７をその終点とする曲線が形成されている。この実施の形態では、Ｒ３＝０．７ｍｍ、Ｒ４＝０．３ｍｍとしている。
【００２７】
さらに、前記点Ｐ６を始点とする曲率半径Ｒ５の曲線であって、この点Ｐ６において前記曲率半径Ｒ３の曲線に接する接線方向に立ち上がり、前記曲率半径Ｒ３の曲線の凸方向とその凸方向が同じである曲線であって点Ｐ８をその終点とする曲線が形成されている。また、前記点Ｐ７を始点とする曲率半径Ｒ６の曲線であって、この点Ｐ７において前記曲率半径Ｒ４の曲線に接する接線方向に立ち上がり、前記曲率半径Ｒ４の曲線の凸方向とその凸方向が同じである曲線であって点Ｐ９をその終点とする曲線が形成されている。そして、点Ｐ８と点Ｐ９との間は外側に凸の滑らかな曲線に形成されている。この実施の形態では、Ｒ５＝４．７５ｍｍ、Ｒ６＝４．３５ｍｍとしている。
【００２８】
ここで、前記移行部３の点Ｐ１とＰ２との距離はｗ１であり、また、移行部３の中間部
における幅はＷｍであり、また、支持部２の幅はＷｓある。この実施の形態ではＷｍ＝０．６３ｍｍ、Ｗｓ＝０．４ｍｍとしている。なお、Ｗｓは、０．３ｍｍ〜０．６ｍｍが好ましい。さらに、前記Ｗｍは支持部の幅Ｗｓの１．５倍〜３倍であることが好ましい。ＷｍがＷｓの１．５倍未満の場合には、移行部の強度が弱くなり、インジェクター挿入筒内で前方側支持部が捩れたり、前方側支持部が光学部と筒内壁との間に挟まれてしまったりすることを誘発する可能性がある。ＷｍがＷｓの３倍を超える場合には、インジェクター挿入筒内を眼内レンズが通過するときの妨げとなる。
【００２９】
また、移行部３の中間部における幅Ｗｍは、次のようにして定められる。すなわち、まず、支持部２の光学部側端、換言すると、移行部３の支持部側端は、移行部３の幅がＷｓとなるところになる。これは、上述の点Ｐ４と曲率半径Ｒ３及びＲ４の曲率中心である点Ｏ４とを結んだ直線と、前記曲率半径Ｒ４の曲線とが交わる点をＫ３としたとき、直線Ｐ４Ｋ３が移行部３の支持部側端もしくは支持部２の移行部側端になるということを意味する。
【００３０】
この直線Ｐ４Ｋ３の中点をＫとし、点Ｋを移行部３の支持部側端の基準点とする。そして、光学部１の中心軸Ｏを中心とする円であって、点Ｋを通る円の半径をｒ３としたとき、ｒ２＝（ｒ１＋ｒ３）／２の関係にあるｒ２を半径とし、光学部１の中心軸Ｏを中心とする円を想定する。そして、この円と移行部３の輪郭線とが交わる点をＫ１，Ｋ２としたとき、直線Ｋ１Ｋ２の長さＷｍが移行部３の中間の幅である。この実施の形態では、ｒ１＝３．００ｍｍ、ｒ３＝４．０６ｍｍ、ｒ２＝３．５３ｍｍ、Ｗｍ＝０．６３ｍｍとしている。
【００３１】
また、光学部の中心軸Ｏ(光学軸)及び前記点Ｋを含む面Ｓ１と、前記光学軸を含む面であって前記支持部２の先端の点Ｐ９と接する面Ｓ２とのなす角度をθとすると、この実施の形態では、θ＝４４．９°としている。なお、θｓ≦θ≦θｍであることが好ましい。ここで、θｓ＝３５．０°であり、θｍ＝５０°である。θが３５°未満の場合には、水晶体嚢と支持部の充分な接触が得られず、水晶体嚢の中での眼内レンズの安定性が悪くなったり、水晶体嚢内でのセンタリングが悪くなったりする。θが５０°を超えると、インジェクター挿入筒内で前方側支持部が捩れたり、前方側支持部が光学部と筒内壁との間に挟まれてしまったり、後方側支持部がプランジャーにからみついたりする可能性がでてくる。
【００３２】
また、支持部２の外周端である前記点Ｐ８は、光学部１の中心軸Ｏ（光学軸）を中心とする半径ｒ４の円上にあるように構成されている。この実施の形態では、ｒ４＝６．２５ｍｍである。また、前記光学部１の中心軸Ｏと、前記移行部２の支持部側端の基準点Ｋとの距離をＬとすると、この距離Ｌは上述の半径ｒ３に等しく、この実施の形態では、Ｌ＝ｒ３＝４．５０ｍｍである。ここで、３．７５ｍｍ≦Ｌ≦４．２５ｍｍであることが好ましい。
【００３３】
Ｌが３．７５ｍｍより短い場合には、相対的に支持部を長くしなければならなくなるため、インジェクター挿入筒内で前方側支持部が捩れたり、前方側支持部が光学部と筒内壁との間に挟まれてしまったり、後方側支持部がプランジャーにからみついたりする可能性がある。また、Ｌが４．５０ｍｍより長い場合には、相対的に支持部が短くなり、水晶体嚢と支持部の充分な接触が得られず、水晶体嚢の中での眼内レンズの安定性が悪くなったり、水晶体嚢内でのセンタリングが悪くなったりする。
【００３４】
図５は本願発明の実施の形態にかかる眼内レンズ１００をインジェクター３００に挿入する様子を示す図である。図５に示すように、眼内レンズ１００を二つに折り畳み、インジェクター３００の挿入口３０１から挿入する。この場合、本実施の形態の眼内レンズ１
００の支持部２の長さが適度の長さ、適度の柔軟性等を有することから、眼内レンズがインジェクター３００の挿入筒中を通過するときに前方にある支持部２がねじれるようなことがなく、スムーズに通過して、良好に眼内へ放出することができる。
【００３５】
以上の構成の軟性眼内レンズは以下のようにして製作される。すなわち、図４（Ａ）にその平面図を示す原材料１０の表裏面に精密旋盤装置を用いて、光学面１をなす曲面、支持部２及び移行部３を構成するための面形成加工を施す。図４（Ｂ）は加工後の原材料１０のＡ−Ａ線断面図である。図に示されるように、光学部１は、レンズを構成する曲面に形成され、支持部２を構成する同心円部分は平坦に形成され、移行部３を構成する部分は、半径方向に厚さが変化する曲面に形成される。なお、上記全ての工程をキャストモールド製法にしたり、あるいは、面形成加工までをキャストモールド製法とするなどのことも可能である。こうして加工された円板状原材料１０に対して、図３（Ａ）の点線で示したような眼内レンズの形状にミーリング装置等で切り取る。これにより、軟性眼内レンズが得られる。また、視認性向上、及び支持部と光学部との貼りつき防止のため、支持部表面、あるいは、支持部表面と移行部表面とを、スリガラス状に加工することもできる。なお、原材料１０を構成する軟質材料としては、軟性アクリル、ハイドロゲル、シリコーン等を用いることができる。
【００３６】
図７は本願発明の他の実施の形態にかかる軟性眼内レンズの一部拡大平面図である。以下、図７を参照にしながら本願発明の他の実施の形態に係る軟性眼内レンズを説明する。図７に示されるように、この実施の形態に係る軟性眼内レンズも、光学部１、２つの支持部２、及び移行部３を有し、これらが同一の軟性材料で一体に構成されているワンピースタイプの軟性眼内レンズであり、主要な構成は上述の実施の形態と同じであるので、以下では、主として異なる点を説明し、同じ点の説明は省略する。
【００３７】
この実施の形態で上記実施の形態と異なる点は、ｒ２、ｒ３の値や、支持部２並びに移行部３の具体的形状及び寸法等である。この実施の形態ではｒ２＝３．５０ｍｍ、ｒ３＝４．００ｍｍである。また、移行部３においては、点Ｐ１を基点とし、点Ｐ３をその終点とする曲線の曲率半径Ｒ１＝０．８６ｍｍであり、点Ｐ２を基点とし、点Ｐ４をその終点とする曲線の曲率半径Ｒ２＝０．７５ｍｍである。
【００３８】
点Ｐ３を始点として点Ｐ５をその終点とする曲線部の曲率半径Ｒ４＝０．４０ｍｍ、点Ｐ４を始点にして点Ｐ６をその終点とする曲線の曲率半径Ｒ３＝０．７５ｍｍである。ここで、点Ｐ５を始点とする曲線は、その終点が点Ｐ１０であり、その曲率半径Ｒ５＝４．５ｍｍである。また、点Ｐ５を始点とする曲線は、その終点が点Ｐ９であり、その曲率半径Ｒ６＝４．１０ｍｍである。
【００３９】
そして、点Ｐ９を始点とし、この点Ｐ９において前記曲率半径Ｒ６の曲線に接する接線方向に立ち上がり、前記曲率半径Ｒ６の曲線の凸方向とその凸方向が同じである曲線であって点Ｐ１１をその終点とする曲率半径Ｒ７の曲線が形成されている。この実施の形態では、Ｒ７＝１．５０ｍｍであり、さらに、点Ｐ１１を始点とし、この点Ｐ１１において前記曲率半径Ｒ７の曲線に接する接線方向に立ち上がり、前記曲率半径Ｒ７の曲線の凸方向とその凸方向が反対である曲線であって点Ｐ１２をその終点とする曲線Ｒ８の曲線が形成されている。この実施の形態では、Ｒ８＝０．４０ｍｍである。点Ｐ１２は、光学軸０を含む面が接する支持部２の先端である。中心軸Ｏを含みかつ上記先端の点Ｐ１２を通る面と、中心軸Ｏ(光学軸)を含み基準点Ｋを通る面とのなす角度θ＝４４．６０°である。点Ｐ１２を始点として前記光学軸０を含む面上にあって点Ｐ１３を終点する部分は直線部分であり、点Ｐ１３と上述の点Ｐ１０との間は外側に凸の滑らかな曲線となっている。
【００４０】
移行部３は、根元を仕切る曲線Ｐ１Ｐ２と、支持部２との境界を仕切る直線Ｋ３Ｋ４と
の間の領域にある。この移行部３の中間部の幅は、半径ｒ２の円と移行部の左右の輪郭線とが交わる点をＫ１，Ｋ２としたとき、直線Ｋ１Ｋ２の長さＷｍ＝０．６６ｍｍが中間部の幅である。基準点Ｋは、直線Ｋ１Ｋ２の中点であり、半径ｒ３の円上にある点である。支持部２との境界を仕切る直線Ｋ３Ｋ４は、移行部３の幅が最も狭くなる部位の幅を示す直線でもあり、支持部２の光学部１側寄りの幅Ｗｓでもある。幅Ｗｓの領域は、点Ｐ８，Ｐ９を結ぶ領域まであり、そこから先端に向かって幅は次第に広くなっていき、支持部２の先端部寄りにおいての最大の幅Ｗｎ＝０．８０ｍｍである。この場合、中心軸Ｏを含み、かつ直線Ｐ８Ｐ９の中点Ｋ５を通る面と、上述の中心軸Ｏ（光学軸)を含み、基準点Ｋ
を通る面とのなす角度θｎ＝２５．９°である。
【００４１】
この実施の形態によれば、特に支持部の先端側を幅広くしたことにより、眼内に挿入後により安定して眼内に保持されるとともに、インジェクター内を眼内レンズが通過するときに、支持部が絡まる等の虞をより軽減してよりスムーズに通過することが可能になる。
【産業上の利用可能性】
【００４２】
本願発明は、水晶体全摘出後に眼内に挿入して固定する眼内レンズとして利用できる。
【図面の簡単な説明】
【００４３】
【図１】本願発明の実施の形態にかかる軟性眼内レンズの平面図である。
【図２】図１におけるＩ−Ｉ線断面図である。
【図３】図１の一部拡大図である。
【図４】本願発明に係る軟性眼内レンズの製造の途中にある中間体を示す図であって図４（Ａ）は平面図であり図４（Ｂ）はＡ−Ａ線断面図である。
【図５】本願発明の実施の形態に係る眼内レンズ１００をインジェクター３００に挿入する様子を示す図である。
【図６】特許文献１の眼内レンズ２００をインジェクター３００に挿入する様子を示す図である。
【図７】本願発明の他の実施の形態にかかる軟性眼内レンズの一部拡大平面図である。
【符号の説明】
【００４４】
１  光学部
２  支持部
３  移行部
【図１】
2008220863.tif 000003
【図２】
2008220863.tif 000004
【図３】
2008220863.tif 000005
【図４】
2008220863.tif 000006
【図５】
2008220863.tif 000007
【図６】
2008220863.tif 000008
【図７】
2008220863.tif 000009